(57)【要約】【課題】区画壁の先端部と基板との間に隙が生じるのを抑制することができる表示媒体、表示装置、表示媒体の製造方法を得る。【解決手段】表面基板を背面基板２２に押し付ける過程において、転がる押圧ローラは、保護層６２と保護層７２とを接触させながら表面基板と背面基板２２とを加圧する。これにより、接着層６０の一部及び接着層７０を変形させて保護層６２及び保護層７２を破き、接着層６０と接着層７０とを接触させる。これにより、間隙保持部材３２の先端部と背面基板２２との間に隙が生じるのが抑制される。【選択図】図１
2014126650.tif 000002
【特許請求の範囲】
【請求項１】
第１基板と、
該第１基板に対向して配置され、該第１基板との間に形成された空間を区画する区画壁の基端部が固定される第２基板と、
該区画壁の先端部及び該第１基板に形成される変形層と、
該変形層に形成される保護層と、
該区画壁によって区画された領域に充填される表示液と、を備え、
該第１基板の保護層と該区画壁の保護層とが接触して該変形層が変形し、該第１基板と該第２基板とが組み付けられる表示媒体。
【請求項２】
前記第１基板に形成される前記変形層は、第１接着層であって、
前記第１接着層に形成される前記保護層は、第１保護層であって、
前記区画壁の先端部に形成される前記変形層は、第２接着層であって、
前記第２接着層に形成される前記保護層は、第２保護層であり、
前記第１保護層及び前記第２保護層が破れて前記第１接着層と前記第２接着層とが接触して前記第１基板と前記第２基板とが組み付けられる請求項１に記載の表示媒体。
【請求項３】
前記区画壁の先端部と前記第１基板との間には、前記第１基板と前記第２基板とを組み付ける際に破れた前記第１保護層及び前記第２保護層が残されている請求項２に記載の表示媒体。
【請求項４】
請求項１〜３の何れか１項に記載される表示媒体と、
前記表示媒体に備えられる基板間に電圧を印加して基板間に電界を形成させる電界形成部と、
を備える表示装置。
【請求項５】
第１接着層と第１保護層とがこの順番で表面に形成されている第１基板と、
前記第１基板の表面に対向して配置される第２基板と、
前記第２基板に基端部が固定され、前記第１基板と前記第２基板との間に形成される空間を区画し、先端部に第２接着層と第２保護層とがこの順番で形成されている区画壁と、を用い、
前記区画壁によって区画された領域に表示液を充填する充填工程と、
前記第１保護層と前記第２保護層とを接触させて前記第１基板と前記第２基板とを加圧して前記第１保護層及び前記第２保護層を破き、前記第１接着層と前記第２接着層とを接触させて前記第１基板と前記第２基板とを組み付ける加圧工程と、
を備えた表示媒体の製造方法。
【請求項６】
前記加圧工程では、前記区画壁の先端部と前記第１基板との間に破れた前記第１接着層及び前記第２接着層が残るように、前記第１基板と前記第２基板とを加圧する請求項５に記載の表示媒体の製造方法。
【発明の詳細な説明】
【技術分野】
【０００１】
本発明は、表示媒体、表示装置及び表示媒体の製造方法に関する。
【背景技術】
【０００２】
特許文献１には、電気泳動表示素子の製造方法が記載されている。具体的には、この製造方法は、一の基板上の空間を区画する区画壁を形成する工程と、区画壁により区画された領域に電気泳動液を充填する工程と、他の基板に塗布された粘着剤が区画壁の先端部と接触するように、一の基板と他の基板とを圧着する工程と、を備えている。
【先行技術文献】
【特許文献】
【０００３】
【特許文献１】特開２０１２−１５０１８５号公報
【発明の概要】
【発明が解決しようとする課題】
【０００４】
本発明の課題は、区画壁の先端部と基板との間に隙が生じるのを抑制することである。
【課題を解決するための手段】
【０００５】
本発明の請求項１に係る表示媒体は、第１基板と、該第１基板に対向して配置され、該第１基板との間に形成された空間を区画する区画壁の基端部が固定される第２基板と、該区画壁の先端部及び該第１基板に形成される変形層と、該変形層に形成される保護層と、該区画壁によって区画された領域に充填される表示液と、を備え、該第１基板の保護層と該区画壁の保護層とが接触して該変形層が変形し、該第１基板と該第２基板とが組み付けられることを特徴とする。
【０００６】
本発明の請求項２に係る表示媒体は、請求項１に記載の表示媒体において、前記第１基板に形成される前記変形層は、第１接着層であって、前記第１接着層に形成される前記保護層は、第１保護層であって、前記区画壁の先端部に形成される前記変形層は、第２接着層であって、前記第２接着層に形成される前記保護層は、第２保護層であり、前記第１保護層及び前記第２保護層が破れて前記第１接着層と前記第２接着層とが接触して前記第１基板と前記第２基板とが組み付けられることを特徴とする。
【０００７】
本発明の請求項３に係る表示媒体は、請求項２に記載の表示媒体において、前記区画壁の先端部と前記第１基板との間には、前記第１基板と前記第２基板とを組み付ける際に破れた前記第１保護層及び前記第２保護層が残されていることを特徴とする。
【０００８】
本発明の請求項４に係る表示装置は、請求項１〜３の何れか１項に記載される表示媒体と、前記表示媒体に備えられる基板間に電圧を印加して基板間に電界を形成させる電界形成部と、を備えることを特徴とする。
【０００９】
本発明の請求項５に係る表示媒体の製造方法は、第１接着層と第１保護層とがこの順番で表面に形成されている第１基板と、前記第１基板の表面に対向して配置される第２基板と、前記第２基板に基端部が固定され、前記第１基板と前記第２基板との間に形成される空間を区画し、先端部に第２接着層と第２保護層とがこの順番で形成されている区画壁と、を用い、前記区画壁によって区画された領域に表示液を充填する充填工程と、前記第１保護層と前記第２保護層とを接触させて前記第１基板と前記第２基板とを加圧して前記第１保護層及び前記第２保護層を破き、前記第１接着層と前記第２接着層とを接触させて前記第１基板と前記第２基板とを組み付ける加圧工程と、を備えたことを特徴とする。
【００１０】
本発明の請求項６に係る表示媒体の製造方法は、請求項５に記載の表示媒体の製造方法において、前記加圧工程では、前記区画壁の先端部と前記第１基板との間に破れた前記第１接着層及び前記第２接着層が残るように、前記第１基板と前記第２基板とを加圧することを特徴とする。
【発明の効果】
【００１１】
本発明の請求項１の表示媒体によれば、第１基板の保護層と区画壁の保護層とが接触して変形する変形層が設けられていない場合と比して、区画壁の先端部と第１基板との間に隙が生じるのを抑制することができる。
【００１２】
本発明の請求項２の表示媒体によれば、第１接着層と第２接着層とが接触していない場合と比して、区画壁の先端部と第１基板との間に隙が生じるのを抑制することができる。
【００１３】
本発明の請求項３の表示媒体によれば、破れた第１保護層及び第２保護層を通して、第１接着層又は第２接着層が表示液と接触してしまう場合と比して、区画壁の先端部において、第１接着層及び第２接着層が表示液に接触するのを抑制することができる。
【００１４】
本発明の請求項４の表示装置によれば、請求項１〜３の何れか１項に記載される表示媒体を備えていない場合と比して、表示媒体の一端側の表示品質と他端側の表示品質とが相違するのを抑制することができる。
【００１５】
本発明の請求項５の表示媒体の製造方法によれば、第１保護層と第２保護層とを接触させて加圧して第１保護層及び第２保護層を破き、第１接着層と第２接着層とを接触させる加圧工程を備えていない場合と比して、区画壁の先端部と第１基板との間に隙が生じるのを抑制することができる。
【００１６】
本発明の請求項６の表示媒体の製造方法によれば、区画壁の先端部と第１基板との間に、破れた第１保護層及び第２保護層が残されていない場合と比して、区画壁の先端部において、第１接着層及び第２接着層が表示液に接触するのを抑制することができる。
【図面の簡単な説明】
【００１７】
【図１】本第１実施形態に係る表示媒体を示した拡大断面図である。
【図２】（Ａ）（Ｂ）本第１実施形態に係る表示媒体の組み付け工程を説明するのに用いた拡大断面図である。
【図３】本第１実施形態に係る表示媒体及び表示装置を示した断面図である。
【図４】本第１実施形態に係る表示媒体及び表示装置を示した断面図である。
【図５】（Ａ）（Ｂ）本第１実施形態に係る表示媒体の組み付け工程を説明するのに用いた断面図である。
【図６】本第１実施形態に係る表示媒体を示し、表面基板が一部きりかかれた斜視図である。
【図７】本第１実施形態に係る表示媒体を示した平面図である。
【図８】本第１実施形態に係る表示媒体の比較例に係る表示媒体を示した拡大断面図である。
【図９】本第２実施形態に係る表示媒体を示した拡大断面図である。
【発明を実施するための形態】
【００１８】
＜第１実施形態＞
本発明の第１実施形態に係る表示媒体、表示装置、及び表示媒体の製造方法の一例について図１〜図８に従って説明する。
【００１９】
（表示装置）
表示装置の一例としての表示装置１０は、例えば、画像の表示保存及び書換えが可能な装置（具体的には、掲示板、回覧版、電子黒板、広告、看板、点滅標識、電子ペーパー、電子新聞、電子書籍、及び複写機・プリンタと共用できるドキュメントシートなど）として用いられるものである。
【００２０】
表示装置１０は、図３、図４に示されるように、移動性粒子３４の電気泳動により画像を表示するものである。そして、表示装置１０は、画像を表示するために用いられる表示媒体１２と、表示媒体１２に電圧を印加して表示媒体１２内に電界を形成させる電界形成部１６とを備えている。
【００２１】
この電界形成部１６は、表示媒体１２に備えられた後述する表面電極４０及び背面電極４６に電気的に接続されている。そして、電界形成部１６によって電圧を表面電極４０及び背面電極４６間に印加することにより、表面電極４０（表面基板２０）と背面電極４６（背面基板２２）との間に電界が形成されるようになっている。
【００２２】
(表示媒体)
表示媒体１２は、図７に示されるように、画像を表示する表示部２４と、後述する第１基板の一例としての背面基板２２と第２基板の一例としての表面基板２０（図３、図４参照）とを接合する接合部４２とを備えている。
【００２３】
接合部４２は、表示部２４の外周を囲むように配置され、接合部４２には、表面基板２０と背面基板２２とを接合（接着）する環状接着剤５０が塗布されている。
【００２４】
〔表面基板・背面基板〕
図３、図４には、表示部２４の一部の断面が示され、図６には、背面基板２２が一部切り欠かれた表示部２４の斜視図が示されている。なお、図６については、後述する接着層６０、７０及び保護層６２、７２を省略して示す。
【００２５】
表示媒体１２は、図３、図４、図６に示されるように、画像表示面とされる表面基板２０と、表面基板２０との間に間隙をもって表面基板２０に対向配置される背面基板２２とを備えている。
【００２６】
また、表面基板２０は、支持基板３８と、支持基板３８の背面基板２２側に形成された表面電極４０とを備えている。一方、背面基板２２は、支持基板４４と、支持基板４４の表面基板２０側に形成された背面電極４６とを備えている。
【００２７】
表面基板２０及び背面基板２２のうち、少なくとも表面基板２０の透過性（光透過性）は、透過率６０％以上とされている。
【００２８】
支持基板３８及び支持基板４４としては、例えば、ガラスや、ブラスチック（ポリエチレンテレフタレート樹脂、ポリエチレンナフタレート樹脂、ポリカーボネート樹脂、アクリル樹脂、ポリイミド樹脂、ポリエステル樹脂、エポキシ樹脂、ポリエーテルサルフォン樹脂等）が用いられる。
【００２９】
表面電極４０の材料としては、例えば、インジウム・スズ・カドミウム・アンチモン等の酸化物、ＩＴＯ（Ｉｎｄｉｕｍ  Ｔｉｎ  Ｏｘｉｄｅ）等の複合酸化物、金・銀・銅・ニッケル等の金属、ポリピロールやポリチオフェン等の有機材料等が用いられる。これらの材料は、例えば、単層膜、混合膜あるいは複合膜として用いられる。また、これらの材料は、例えば、蒸着法、スパッタリング法、塗布法、ＣＶＤ法（気相成長法）等によって形成される。
【００３０】
背面電極４６としては、表面電極４０と同様の材料や、トランジスタ（ＴＦＴ：Ｔｈｉｎ  Ｆｉｌｍ  Ｔｒａｎｓｉｓｔｏｒ等）、ダイオード、バリスタ、ＭＩＭ（Ｍｅｔａｌ  Ｉｎｓｕｌａｔｏｒ  Ｍｅｔａｌ）素子等のスイッチング素子を含む駆動回路と共に、単層又は多層構造の電極が複数配置されたものが用いられる。
【００３１】
また、背面基板２２の表面基板２０側には、第１接着層の一例としての接着層６０が形成され、さらに、接着層６０の表面基板２０側には、第１保護層の一例としての保護層６２が形成されている。
【００３２】
なお、接着層６０及び保護層６２については、詳細を後述する。
【００３３】
〔間隙保持部材〕
一方、表面基板２０と背面基板２２との間には、基板間の間隙を保持すると共に、基板間の空間を複数の領域に区画する区画壁の一例としての間隙保持部材３２が格子状に形成されている。そして、この格子間の間隔は、予め決められた間隔とされている。
【００３４】
表面基板２０の板厚方向に各間隙保持部材３２を跨ぐように切断した間隙保持部材３２の断面は、矩形状とされている。さらに、この間隙保持部材３２の基端部（図３、図４に示す下端部）は、表面基板２０に固定されている（表面基板２０と背面基板２２とを組み付ける前に、既に間隔保持部材３２は表面基板２０に固定されている）。
【００３５】
間隙保持部材３２は、表示媒体１２に表示される表示画像に悪影響を及ぼさないように可視光線に対して無色透明であることが望ましく、間隙保持部材３２の光透過性は、透過率５０％以上とされている。
【００３６】
この間隙保持部材３２によって区画された領域（以下、「セル」という）は、表面基板２０と、背面基板２２と、間隙保持部材３２とによって囲まれて形成されている。
【００３７】
間隙保持部材３２によって規制される表面基板２０と背面基板２２との距離（電極間距離）は、表示画像の画質及び画像の切替速度を考慮して、１０〜２００〔μｍ〕（好ましくは２０〜６０〔μｍ〕）とされている。間隙保持部材３２の間隔としては、開口率（光の透過割合）の低下の防止や泳動粒子の沈降による偏りの防止を考慮し、１００〜１０００μｍ、より望ましくは、２００〜５００〔μｍ〕とされている。
【００３８】
間隙保持部材３２としては、熱可塑性樹脂、熱硬化性樹脂、電子線硬化樹脂、光硬化樹脂、ゴム、セラミック、金属等が用いられる。
【００３９】
間隙保持部材３２の成形方法としては、例えば、接着性を持つ感光性樹脂（例えば、熱可塑性樹脂：アクリル樹脂、アクリレート、ウレタン等）の層を表面基板２０に成形した後、これにフォトリソグラフィー法を用いて露光して当該樹脂の層に潜像を形成し、現像することで間隙保持部材３２を成形する成形方法を用いても良い。また、熱ナノインプリント若しくは光ナノインプリント、又はこれらを組み合わせたナノインプリントにより、樹脂をエンボス加工することで、間隙保持部材３２を成形しても良い。また、その他の公知の方法を用いて間隙保持部材３２を成形しても良い。
【００４０】
また、間隙保持部材３２の先端部３２Ａには、第２接着層の一例としての接着層７０が形成され、さらに、接着層７０が形成された間隙保持部材３２及び表面基板２０には、第２保護層の一例としての保護層７２が形成されている。
【００４１】
なお、接着層７０及び保護層７２については、詳細を後述する。
【００４２】
〔移動性粒子・分散媒・反射粒子〕
一方、各セル内には、電気、磁気、光、熱などの外部刺激によって光学特性が変化する表示液２８が充填される。表示液２８は、例えば、液晶材料や、分散媒中に電気泳動粒子、誘電泳動粒子、磁気泳動粒子、配向によって光学特性が変化する異方性粒子、粒子間隔や配列の変化によって光学変化する配列粒子材料などを含む粒子含有表示液や、ロイコ染料と顕色剤など熱によって光学特性が変化するサーモクロミック材料、フォトクロミック材料などから構成される。
【００４３】
液晶材料としては、ネマチック液晶、コレステリック液晶（カイラルネマチック液晶）、スメクチック液晶などが用いられる。特に、表示後に電圧等を印加し続けなくても表示状態を維持できるメモリー性液晶材料、例えば、可視光を反射するコレステリック液晶、強誘電性液晶、双安定性ネマチック液晶、スメクチックＡ液晶などが好適に用いられる。      
【００４４】
表示液２８が電気泳動表示液の場合、透明液体または着色液体中に、電界印加によって移動する少なくとも１種類の電気泳動粒子が分散された表示液が用いられる。以下、この場合について記述する。
【００４５】
各セル内には、図３、図４に示されるように、電界の向きにより移動する複数の移動性粒子３４と、移動性粒子３４が分散される分散媒３０と、を備えた表示液２８が充填されていてもよい。さらに、この分散媒３０には、光学的反射特性を有する複数の反射粒子３６が分散されている。
【００４６】
分散媒３０としては、絶縁性液体であることが望ましい。ここで、「絶縁性」とは、体積抵抗値が１０７〔Ω・ｃｍ〕以上であることを指している。
【００４７】
具体的には、絶縁性液体として、例えば、ヘキサン、シクロヘキサン、トルエン、キシレン、デカン、ヘキサデカン、ケロセン、パラフィン、イソパラフィン、シリコーンオイル、変性シリコーンオイル、ジクロロエチレン、トリクロロエチレン、パークロロエチレン、高純度石油、エチレングリコール、アルコール類、エーテル類、エステル類、ジメチルホルムアミド、ジメチルアセトアミド、ジメチルスルホキシド、Ｎ−メチルピロリドン、２−ピロリドン、Ｎ−メチルホルムアミド、アセトニトリル、テトラヒドロフラン、プロピレンカーボネート、エチレンカーボネート、ベンジン、ジイソプロピルナフタレン、オリーブ油、イソプロパノール、トリクロロトリフルオロエタン、テトラクロロエタン、ジブロモテトラフルオロエタンなどや、それらの混合物が好適に用いられる。
【００４８】
また、以下の体積抵抗値となるように不純物を除去した水（所謂、純水）を、分散媒３０として用いても良い。該体積抵抗値としては、１０７〔Ω・ｃｍ〕以上であることが望ましく、１０７〔Ω・ｃｍ〕以上１０１９〔Ω・ｃｍ〕以下であることがさらに望ましく、さらに１０１０〔Ω・ｃｍ〕以上１０１９〔Ω・ｃｍ〕以下であることがより良い。この範囲の体積抵抗値とすることで、より効果的に、表示液２８に電界が印加され、かつ、電極反応に起因する分散媒３０の電気分解による気泡の発生が抑制される。
【００４９】
なお、絶縁性液体には、必要に応じて、酸、アルカリ、塩、分散安定剤、酸化防止や紫外線吸収などを目的とした安定剤、抗菌剤、防腐剤などを添加しても良いが、上記で示した特定の体積抵抗値の範囲となるように添加することが望ましい。
【００５０】
また、絶縁性液体には、帯電制御剤として、陰イオン界面活性剤、陽イオン界面活性剤、両性界面活性剤、非イオン界面活性剤、フッ素系界面活性剤、シリコーン系界面活性剤、金属石鹸、アルキルリン酸エステル類、コハク酸イミド類等を添加しても良い。
【００５１】
また、分散媒３０としては、高分子樹脂を用いても良い。高分子樹脂としては、高分子ゲル、高分子ポリマー等であることが望ましい。具体的には、高分子樹脂として、例えば、ゼラチン、ポリビニルアルコール、ポリ（メタ）アクリルアミド等が用いられる。これら高分子樹脂は、上記の絶縁性液体と共に分散媒３０として用いても良い。
【００５２】
これに対して、移動性粒子３４は、セル内に形成された電界の向きに応じて表面基板２０と背面基板２２との基板間を移動するようになっている。
【００５３】
この移動性粒子３４としては、ガラスビーズ、アルミナ、酸化チタン等の絶縁性の金属酸化物粒子等、熱可塑性若しくは熱硬化性樹脂粒子、これらの樹脂粒子の表面に着色剤を固定したもの、熱可塑性若しくは熱硬化性樹脂中に絶縁性の着色剤を含有する粒子、及びプラズモン発色機能を有する金属コロイド粒子等が用いられる。
【００５４】
移動性粒子３４を構成する樹脂には、必要に応じて、帯電性を制御する帯電制御剤を混合しても良い。また、移動性粒子３４の内部や表面には、必要に応じて、磁性材料を混合しても良い。また、移動性粒子３４の表面には、必要に応じて、外添剤を付着させても良い。
【００５５】
一方、各セル内に充填された反射粒子３６は、表面基板２０と背面基板２２との間において、基板間の電界の向きに関わらず基板間の中央部側に配置され、表面基板２０の板面方向の全面に渡って配置されている。
【００５６】
この反射粒子３６は、移動性粒子３４とは異なる光学的反射特性を有し、入射光を散乱させるようになっている。
【００５７】
ここで、「移動性粒子３４とは異なる光学的反射特性を有する」とは、移動性粒子３４だけが分散された分散媒３０と、反射粒子３６とを対比して目視で観察した場合に、色度、明度、及び彩度において、両者の差異が識別できる差異があることを意味する。なお、これらの色度、明度、及び彩度のうち、特に色度が異なることが望ましい。
【００５８】
上記「識別できる差異」とは、例えば、色度が異なる場合には、具体的には、この移動性粒子３４だけが分散された分散媒３０と、反射粒子３６との各々におけるＣＩＥＬＡＢ値をＸ−Ｒｉｔｅ社製Ｘ−Ｒｉｔｅ４０４により測定したときのａ＊、ｂ＊の差が、５以上であることを指している。
【００５９】
本実施形態に係る表示媒体１２の構成によれば、電界形成部１６から表面電極４０及び背面電極４６に電圧が印加されると、印加された電圧に応じた電界が分散媒３０中に形成される。この形成された電界によって、移動性粒子３４が表面基板２０と背面基板２２との間を移動する。
【００６０】
例えば、移動性粒子３４が負極に帯電されており、表面電極４０に正の電圧、背面電極４６に負の電圧が印加されると、移動性粒子３４は、反射粒子３６の間隙を通って、背面基板２２側から表面基板２０側に移動する（図４参照）。このとき、表面基板２０側から表示媒体１２を目視すると、表面基板２０側に位置する移動性粒子３４の粒子色が、表示媒体１２の色として視認される（本実施形態では、一例として黒色）。
【００６１】
一方、表面電極４０に負の電圧、背面電極４６に正の電圧が印加されると、移動性粒子３４は、反射粒子３６の間隙を通って、表面基板２０側から背面基板２２側に移動する（図３参照）。このとき、表面基板２０側から表示媒体１２を目視すると、反射粒子３６の色が、表示媒体１２の色として視認される（本実施形態では、一例として白色）。
【００６２】
その他、図４おけるハッチングの異なる移動性粒子は、互いに色が異なり、かつ移動するために必要な電圧の範囲が異なる移動性粒子としても良い。この場合の移動性粒子の移動は公知技術なので（例えば、特開２０１０−２０４５３８等）、詳細な説明は省略する。
【００６３】
（要部構成）
次に、背面基板２２に形成された接着層６０及び保護層６２、間隙保持部材３２の先端部３２Ａに形成された接着層７０、並びに間隙保持部材３２及び表面基板２０に形成された保護層７２について説明する。
【００６４】
背面基板２２の表面基板２０側には、図３、図４に示されるように、接着剤で構成された接着層６０が形成されている。接着層６０を構成する接着剤としては、感圧接着剤、ホットメルト接着剤、熱硬化型接着剤、電子線・紫外線・可視光などの化学活性線の照射により硬化する化学活性線硬化型接着剤、主剤と硬化剤の化学反応によって硬化する２液型接着剤、吸湿によって硬化する吸湿型接着剤などが用いられる。これらの材料としては、ウレタン樹脂、エポキシ樹脂、アクリル樹脂、アクリル-スチレン樹脂、ポリエステル樹脂、エチレン−酢酸ビニル共重合体、エチレン−塩化ビニル共重合体、シリコーン樹脂、ニトリル−ブタジエンゴム、スチレン−ブタジエンゴム、天然ゴムなどが用いられる。
そして、接着層６０（変形層の一例）を構成する接着剤は、表示媒体１２が製品となった状態で、接触部の層厚が非接触部に比べ１０％以上変化している。
【００６５】
また、接着層６０を覆うように、保護層６２が形成されている。この保護層６２は、一例として、フッ素系樹脂、シリコーン系樹脂、ポリイミド樹脂などの樹脂材料や、ＳｉＯ２やアルミナなどの金属酸化物で構成される。表示液２８が液晶表示素子の場合は、液晶分子の配向方向やアンカリング強度を制御する機能を、表示液２８が電気泳動表示液の場合は、反射粒子３６及び移動性粒子３４が接着層６０に付着するのを抑制する機能を提供する。さらに、保護層６２は、接着層６０に含まれる残留溶剤が表示液２８に溶け出すのを抑制する機能や、表示液への接着層６０の溶出や、表示液による接着層６０の膨潤を防止する機能を提供する場合もある。また、保護層６２の透過性（光透過性）は、透過率６０％以上とされている。
【００６６】
一方、間隙保持部材３２の先端部３２Ａには、接着剤で構成された接着層７０が形成されている。接着層７０を構成する接着剤としては、接着層６０を構成する接着剤と同様のものが用いられる。尚、接着層６２を構成する接着剤と、接着層７０を構成する接着剤は、必ずしも同様ものである必要はなく、互いに相溶性を有するものであれば良い。ここで、相溶性とは、目視で観察した際に分離しない程度に両接着剤が均一に混合可能であることをいう。また、接触させる前の接着層６２と接着層７０の厚さの比率は、接着層６２：接着層７０＝１：１０から接着層６２：接着層７０＝１０：１の間であることが望ましい。
【００６７】
また、先端部３２Ａに接着層７０が形成された間隙保持部材３２及び表面基板２０を覆うように、保護層７２が形成されている。この保護層７２は、保護層６２と同様に一例として、フッ素系の樹脂材料で構成されている。そして、保護層７２は、保護層６２と同様の機能を有している。
【００６８】
さらに、間隙保持部材３２の先端部３２Ａと背面基板２２との間では、図１に示されるように、保護層６２及び保護層７２が破れ、その破れた部分を通して、接着層６０と接着層７０とが接触している。
【００６９】
これは、表面基板２０と背面基板２２とを組み付ける際に、接着層６０及び接着層７０が変形し、保護層６２及び保護層７２が破れて接着層６０と接着層７０とが接触したものである。
【００７０】
そして、間隙保持部材３２の先端部３２Ａと背面基板２２との間には、表面基板２０と背面基板２２とを組み付ける際に破れた保護層６２及び保護層７２が残されている。また、間隙保持部材３２の先端部３２Ａと背面基板２２との間には、表面基板２０と背面基板２２とを組み付ける際に、間隙保持部材３２の先端部３２Ａと背面基板２２との間に入り込んだ反射粒子３６が挟まれることがある（図１中右側参照）。なお、移動性粒子３４が挟まれることもある。このように、反射粒子３６や移動性粒子３４が間隙保持部材３２の先端部３２Ａと背面基板２２との間に挟まれても先端部３２Ａと背面基板２２との間に隙を生じなくするためには、反射粒子３６および移動性粒子３４の最大粒子径よりも先端部３２Ａと背面基板２２との間に存する接着層６０および接着層７０の層厚を厚くするのが望ましく、具体的には、０．１〜２０μｍが好ましい。特に表示液２８が電気泳動表示液の場合には、粒子の粒径の０．８〜３倍の範囲、すなわち１〜１５μｍが好ましい。
【００７１】
〔製造方法〕
次に、表面基板２０と背面基板２２とを組み付けて表示媒体１２を製造する製造方法について説明する。
【００７２】
接着層６０と保護層６２とがこの順番で形成された背面基板２２と、間隙保持部材３２の基端部が固定された表面基板２０と、を準備する。ここで、間隙保持部材３２の先端部３２Ａには、接着層７０が形成され、さらに、先端部３２Ａに接着層７０が形成された間隙保持部材３２、及び表面基板２０を覆うように保護層７２が形成されている（図２（Ａ）参照）。
【００７３】
また、背面基板２２には、環状接着剤５０が塗布されている。
【００７４】
[充填工程]
先ず、図２（Ａ）に示されるように、表面基板２０において間隙保持部材３２が形成されている側を上方に向け、間隙保持部材３２によって区画された各セルに反射粒子３６が分散された表示液２８を充填する。
【００７５】
[加圧工程]
次に、図５（Ａ）に示されるように、背面基板２２を固定用ステージ１００に吸着させた状態で、表面基板２０の一辺側（図中左側）を背面基板２２に貼り合わせる。
【００７６】
次に、図５（Ｂ）に示されるように、表面基板２０を背面基板２２に押し付ける押圧ローラ１０２を表面基板２０の一辺側から他辺側（図中右側）に向けて転がす。これより、環状接着剤５０が、表面基板２０と背面基板２２とに挟み込まれ、表面基板２０と背面基板２２とを接着する。このようにして、背面基板２２及び表面基板２０における接合部４２（図７参照）を接着させる。
【００７７】
一方、表面基板２０を背面基板２２に押し付ける過程において、転がる押圧ローラ１０２は、保護層６２と保護層７２とを接触させながら表面基板２０と背面基板２２とを加圧する。これにより、接着層６０の一部及び接着層７０を変形させて保護層６２及び保護層７２を破き、接着層６０と接着層７０とを接触させる（図２（Ｂ）参照）。
【００７８】
ここで、この加圧工程では、間隙保持部材３２の先端部３２Ａと背面基板２２との間に、破れた保護層６２及び保護層７２が残るように、加圧力を制御して保護層６２と保護層７２とを接触させて表面基板２０と背面基板２２とを加圧する。このようにして、背面基板２２及び表面基板２０における表示部２４（図７参照）を接着させる。
【００７９】
これにより、表面基板２０と背面基板２２とを組み付けて表示媒体１２を製造する。
【００８０】
（作用）
以上説明したように、接着層６０及び接着層７０を変形させて接着層６０と接着層７０とが接触しているため、接着層６０及び接着層７０が変形していない場合と比して、間隙保持部材３２の先端部と背面基板２２との間に隙が生じるのが抑制される。
【００８１】
また、間隙保持部材３２の先端部３２Ａと背面基板２２との間に隙が生じるのが抑制されることで、各セル間で、表示液２８等が移動するのが抑制される。これにより、支持基板４４と背面基板２２との間のギャップが均一に保たれ、表示の均一性が確保できる。特に、表示媒体への押圧や、曲げ変形やねじれ変形に対する耐性の付与に有効である。この場合、表示液の量の不均一が抑制される効果に加えて、例えば、電圧等の外場を印加する場合であれば、外場の強度が一定に保たれる効果も発揮する。
【００８２】
表示液が液晶材料の場合は、流動による分子配向の変化が抑制され、表示の均一が保たれる。また、メモリー性液晶の場合は、メモリーした画像が破壊されずに維持できる。表示液が電気泳動表示液の場合も同様に、粒子の移動が防止される結果として、メモリーした画像が破壊されずに維持できる。
【００８３】
また、各セル間で、充填される表示液２８等の量に差が生じるのが抑制されることで、表示媒体１２の一端側の表示品質と他端側の表示品質とが相違するのが抑制される。（表示液２８等の移動が抑制されていないと、表示媒体１２を傾けた際に、重力による沈降によって、表示媒体１２の一端側と他端側とで移動性粒子３４や反射粒子３６等の量に差が生じてしまう）。
【００８４】
尚、第１実施形態では、支持基板４４と支持基板３８のそれぞれに表面電極４０と背面電極４６を形成し、これらの間に電界形成部１６を用いて電圧を印加しているが、本発明はこれに限定するものではない。例えば、支持基板４４だけに、２つの表面電極４０Ａと４０Ｂとを設けてこれらの間に電圧を印加する、または、支持基板３８だけに、２つの表面電極４６Ａと４６Ｂとを設けてこれらの間に電圧を印加してもよい。
【００８５】
＜第２実施形態＞
次に、本発明の第２実施形態に係る表示媒体、表示装置、及び表示媒体の製造方法の一例について図９に従って説明する。なお、第１実施形態と同一部材については、同一符号を付してその説明を省略する。また、第１実施形態と異なる部分のみ説明し、他の部分の説明は省略する。
【００８６】
表示媒体８０の間隙保持部材３２の先端部３２Ａと背面基板２２との間では、図９に示されるように、背面基板２２に形成された変形層９０を覆う保護層２及び先端部３２Ａに形成された変形層９６を覆う保護層９８は破れていない。そして、変形層９０の一部と変形層９６とが変形して、保護層９２及び保護層９８が互いに押し付けられている。
【００８７】
また、表示媒体８０を製造する製造方法における加圧工程では、間隙保持部材３２の先端部３２Ａと背面基板２２との間で保護層９２及び保護層９８が破れないように、加圧力を制御し、保護層９２と保護層９８とを接触させて表面基板２０と背面基板２２とを加圧する。これにより、変形層９０の一部と変形層９６とが変形して、保護層９２及び保護層９８が互いに押し付けられる。
【００８８】
このように、保護層９２及び保護層９８が互いに押し付けられることで、間隙保持部材３２の先端部３２Ａと背面基板２２との間に隙が生じるのが抑制される。
【００８９】
なお、保護層が破れることで生じる作用以外の他の作用については、第１実施形態と同様である。
【００９０】
また、本発明を特定の実施形態について詳細に説明したが、本発明は係る実施形態に限定されるものではなく、本発明の範囲内にて他の種々の実施形態が可能であることは当業者にとって明らかである。例えば、上記実施形態では、間隙保持部材３２によって区画された各セルに、表示液２８が充填される表示媒体１２に本構成を用いたが、各セルに液晶が充填される液晶表示媒体（液晶表示ディスプレイ）に本構成を用いてもよい。
【００９１】
また、上記実施形態では、表示媒体１２、８０に２種類の粒子（移動性粒子３４、反射粒子３６）が用いられたが、粒子の種類は１種類でもよく、また、３種類以上の粒子を用いてもよい。
【００９２】
また、上記実施形態では、押圧ローラ１０２を用いて表面基板２０と背面基板２２とを組み付けたが、真空プレス工法等を用いて、減圧下または真空下で表面基板２０と背面基板２２とを組み付けてもよい。これにより気泡の混入が抑制できる。また、貼合時に加熱してもよい。
【００９３】
また、上記実施形態では、保護層７２、９８は、接着層７０（変形層９６）が形成された間隙保持部材３２及び表面基板２０を覆うように形成されたが、接着層７０（変形層９６）だけを覆うように形成されてもよい。
【００９４】
また、上記第１実施形態では、特に説明しなかったが、保護層６２及び保護層７２が破れていない箇所があってもよい。
【符号の説明】
【００９５】
１０        表示装置
１２        表示媒体
１６        電界形成部
２０        表面基板（第２基板の一例）
２２        背面基板（第１基板の一例）
２８        表示液
３２        間隙保持部材（区画壁の一例）
３２Ａ       先端部
６０        接着層（第１接着層の一例）
６２        保護層（第１保護層の一例）
７０        接着層（第２接着層の一例）
７２        保護層（第１保護層の一例）
８０        表示媒体
９０        変形層
９２        保護層（第１保護層の一例）
９６        変形層
９８        保護層（第２保護層の一例）
【図１】
2014126650.tif 000003
【図２】
2014126650.tif 000004
【図３】
2014126650.tif 000005
【図４】
2014126650.tif 000006
【図５】
2014126650.tif 000007
【図６】
2014126650.tif 000008
【図７】
2014126650.tif 000009
【図８】
2014126650.tif 000010
【図９】
2014126650.tif 000011